(57)【要約】【課題】ネットワーク通信機能を搭載した扉錠を提供する。【解決手段】建具用扉の施解錠操作のために用いられ、建具用扉に取り付けられる扉錠１の中に、現在扉錠が施錠状態にあるのかそれとも解錠状態にあるのか、あるいは、いつ誰が施解錠操作をしたのかといった情報を取得・送信しうる通信機能を有する小型サーバ１１を内蔵させた。【選択図】図１
2006097444.tif 000002
【特許請求の範囲】
【請求項１】
建具用扉の施解錠操作のために用いられ、建具用扉の内部又は外部に取り付けられる扉錠であって、現在扉錠が施錠状態にあるのかそれとも解錠状態にあるのか、いつ施解錠操作されたのか、あるいは誰が施解錠操作をしたのかといった情報を取得し、かかる情報の通信を行う機能を有する小型サーバを内蔵したことを特徴とする扉錠
【請求項２】
扉に埋設され、現在扉錠が施錠状態にあるのかそれとも解錠状態にあるのか、あるいは、いつ施解錠操作されたのか、あるいは誰が施解錠操作をしたのかといった情報を取得し、かかる情報の通信を行う機能を有する小型サーバを内蔵したケース
【請求項３】
扉の施解錠操作によって突出する錠杆を嵌入させるための受部材であって、現在扉錠が施錠状態にあるのかそれとも解錠状態にあるのか、あるいはいつ施解錠操作されたのかといった情報を取得し、かかる情報の通信を行う機能を有する小型サーバを内蔵した受け部材
【請求項４】
請求項１に記載された扉錠、請求項２に記載されたケースとともに使用する扉錠、又は請求項３に記載された受部材と組み合わせて使用する扉錠と、扉錠と通信ネットワークを仲介する専用暗号化機能を有するルータと、パソコンや携帯電話等の端末とからなるセキュリティーシステムであって、端末から、現在扉錠が施錠状態にあるのかそれとも解錠状態にあるのか、あるいはいつ施解錠操作されたのかといった情報を入手・確認することができることを特徴とするセキュリティーシステム
【請求項５】
請求項１に記載された扉錠又は請求項２に記載されたケースとともに使用する扉錠と、扉錠の施解錠操作に用いられ、ＩＣタグを内蔵し個人を特定することができる鍵と、扉錠と通信ネットワークを仲介する専用暗号化機能を有するルータと、パソコンや携帯電話等の端末とからなるセキュリティーシステムであって、端末から、現在扉錠が施錠状態にあるのかそれとも解錠状態にあるのか、いつ施解錠操作されたのか、あるいは誰が施解錠操作をしたのかといった情報を入手・確認することができることを特徴とするセキュリティーシステム
【発明の詳細な説明】
【技術分野】
【０００１】  本発明は、個人識別・扉錠の施解錠情報の取得・送信を行うことのできる扉錠及び当該扉錠を用いたセキュリティーシステムに関する。
【背景技術】
【０００２】  住宅やマンション等の玄関扉や事務所の出入口用扉には扉錠が設けられる。この扉錠は、扉の自由側端縁から進退する錠杆を扉枠に係合・係合解除させ、扉を施解錠する施解錠機構を内蔵し、扉の室外側に取り付けられるシリンダーと、扉の室内側に取り付けられるサムターンに連結され、室外側からはシリンダーの鍵穴に鍵を挿入して鍵を回転させることにより、室内側からはサムターンを回転させることにより施解錠動作される。【０００３】  かかる扉錠は、外部の者が無断で侵入してこないように施錠しているのが普通であり、仮に施錠しているのか否か不安になったときは、住人が室内側にいるときは、玄関まで行って施解錠状態を確認すればよい。しかし、外出しているとき、とりわけ遠方に外出しているときは、簡単に施解錠状態を確認することができない。そうすると、「家の鍵をかけ忘れたかもしれない」といった不安が増大し、何事に無集中できなくなるとった状況に陥りかねない。【０００４】  かかる状況を打破するために、施解錠状態を瞬時に判別できるよう施解錠確認装置を鍵に設けたものが従来技術として存在する。特許文献１乃至６に掲げたものがそれである。【０００５】  しかし、施解錠確認手段に関する公知技術がこれほど多く存在するにもかかわらず、一般にはそれほど普及していない。それは、そのような鍵を製造すること自体に莫大なコストがかかってしまい、ニーズにそぐわないためである。また、施解錠確認装置を後付けするタイプについても、大きく嵩張ってしまい、ポケット等に収納できないという欠点があるため、一般に普及していない。【０００６】  そこで、時代の推移とともに普及してきたのが、電気錠システムである。一般のシリンダー錠に比べて不正解錠されにくく、操作性に優れていることら、マンションや一戸建て住宅等の扉に広く採用されるようになってきた。電気錠システムは、電気錠と、これを制御する電気錠制御盤と、施解錠状態を表示する操作表示器からなるのが一般的である。中には、電気錠制御盤と操作表示器が一体となったものも存在する。【０００７】  かかる電気錠システムを用いれば何故、施解錠確認ができるかといえば、扉錠（電気錠）の錠杆が扉枠側の箱受に係入されたか否かをセンサーで電気的に検知して、操作表示器にて遠隔的に施解錠状態を確認できるからである。
【特許文献１】特開平１０−１９６１７５
【特許文献２】特開平１０−１２１８００
【特許文献３】特開平１０−０５４１６３
【特許文献４】特開平０９−２３５９１９
【特許文献５】特開平０９−２２１９４６
【特許文献６】特開平０９−２０９６２５
【特許文献７】特開２００２−１３３２７
【発明の開示】
【発明が解決しようとする課題】
【０００８】  しかし、電気錠制御盤は、特許文献７に示す集合住宅監視システムに用いられる電気錠制御盤のように、電気錠とは別個独立に設置されるのが一般的である。なぜかといえば、それだけのシステムを錠箱内に収めることができないからである。したがって、従来型の電気錠システムだと、電気錠制御盤をどうしても人目に触れるような外部のどこかに設置せざるを得ず、見栄えが悪くなるという問題がある。【０００９】  また、施解錠確認機能を有しない扉錠が取り付けられている扉を対象にして、この扉に施解錠確認機能を付加させるに際しては、既設の扉錠を取り外して新たな電気錠システムを設置しなければならず、取り付け作業に予想外の時間・出費がかさむという問題がある。【００１０】  そこで、扉錠自体に上記機能を搭載させ、個人識別・扉錠の施解錠情報をインターネット等の通信ネットワークを通じて入手できるようにした。
【課題を解決するための手段】
【００１１】  上記目的を達成するため、第一に、請求項１に記載された発明は、建具用扉の施解錠操作のために用いられ、建具用扉の内部又は外部に取り付けられる扉錠であって、現在扉錠が施錠状態にあるのかそれとも解錠状態にあるのか、いつ施解錠操作されたのか、あるいは誰が施解錠操作をしたのかといった情報を取得し、かかる情報の通信を行うための小型サーバを内蔵したことを特徴とする。【００１２】  第二に、請求項２に記載された発明は、扉に埋設され、現在扉錠が施錠状態にあるのかそれとも解錠状態にあるのか、いつ施解錠操作されたのか、あるいは誰が施解錠操作をしたのかといった情報を取得し、かかる情報の通信を行うための小型サーバを内蔵したケースであることを特徴とする。【００１３】  第三に、請求項３に記載された発明は、扉の施解錠操作によって突出する錠杆を嵌入させるための受部材であって、現在扉錠が施錠状態にあるのかそれとも解錠状態にあるのか、あるいはいつ施解錠操作されたのかといった情報を取得し、かかる情報の通信を行う機能を有する小型サーバを内蔵した受け部材であることを特徴とする。【００１４】  第四に、請求項４に記載された発明は、請求項１に記載された扉錠、請求項２に記載されたケースとともに使用する扉錠、又は請求項３に記載された受部材と組み合わせて使用する扉錠と、扉錠と通信ネットワークを仲介する専用暗号化機能を有するルータと、パソコンや携帯電話等の端末とからなるセキュリティーシステムであって、端末から、現在扉錠が施錠状態にあるのかそれとも解錠状態にあるのか、あるいはいつ施解錠操作されたのかといった情報を入手・確認することができることを特徴とする。【００１５】  第五に、請求項５に記載された発明は、請求項１に記載された扉錠又は請求項２に記載されたケースとともに使用する扉錠と、扉錠の施解錠操作に用いられ、ＩＣタグを内蔵し個人を特定することができる鍵と、扉錠と通信ネットワークを仲介する専用暗号化機能を有するルータと、パソコンや携帯電話等の端末とからなるセキュリティーシステムであって、端末から、現在扉錠が施錠状態にあるのかそれとも解錠状態にあるのか、いつ施解錠操作されたのか、あるいは誰が施解錠操作をしたのかといった情報を入手・確認することができることを特徴とする。
【発明の効果】
【００１６】  このように、本発明は、ネットワーク化に必要な機能を搭載した小型サーバを扉錠、扉錠とは別体のケース、又は受部材に内蔵したことを特徴とするため、サーバ機能を外観上露出させることなく使用でき、一般の扉錠同様、外観上の見栄えを気にせずに済むという効果が得られる。【００１７】  また、本発明に係るセキュリティーシステムを導入することによって、扉の施解錠状態、誰がいつ施解錠操作をしたかといった情報を、パソコンや携帯電話等の日常的に用いられる端末を使って迅速に入手しうるという効果が得られる。【００１８】  さらに、請求項３に記載された発明においては、扉錠ではなく受部材の方で錠杆の出没を感知するので、仮に、扉と枠の隙間からのいわゆるバールこじ開けのように錠杆突出状態を維持しつつ不正解錠されたような場合であっても、錠杆と受部材との係合解除を感知し、解錠情報を正確に通知することができる。
【発明を実施するための最良の形態】
【００１９】  先ず、本発明の実施環境について述べる。一般住宅やオフィスの玄関その他の扉には、防犯を目的として施錠・解錠を行うことのできる扉錠１が装着されているが、本発明に係る扉錠１も、建具用扉に装着して使用するタイプのものである。そして、本発明にかかる扉錠１の機能を遺憾なく発揮するためには、扉錠１のほか、扉錠１と通信ネットワーク３を仲介する専用暗号化機能を有する有線又は無線のルータ２と、インターネット等の通信ネットワーク３と、パソコン４や携帯電話５といった端末機器が必要となる。【００２０】  次に、本発明の構成要素について述べる。【００２１】  本発明に係る扉錠１は、錠杆６を扉枠に係合・係合解除させ、扉を施解錠する錠機構１８を内蔵し、扉の室外側に取りつけられるシリンダー７と、扉の室内側に取りつけられる図示しないサムターンに連結され、室外側からはシリンダー７の鍵穴８に図示しない鍵を挿入して鍵を回転させることにより、室内側からはサムターンを回転させることにより、錠杆６を引き込ませて解錠し、レバーハンドル９を操作してラッチボルト１０を引き込ませることによって扉の開くことができる一般的な扉錠である。そして、その中に、以下に述べる小型サーバ１１を内蔵したものである。【００２２】  小型サーバ１１は、ＣＰＵ１２、無線ＬＡＮ１３のほか、図示しない電源供給手段、メモリー、イーサネットチップ及びその周辺回路からなるハードウェア、並びにＲＴＯＳ、ＴＣＰ／ＩＰプロトコル、ＷＥＢサーバ、電子メール発信機能、暗号化ソフトウェアといった、ワイヤレスネットワーク化に必要な機能を全て搭載している。【００２３】  なお、小型サーバ１１への電源供給手段は電池によるものとする。なぜなら、電池によれば、不正に断線され電気の供給を妨げられるおそれがないからである。【００２４】  次に、上記の構成を有する扉錠の作用を説明する。【００２５】  鍵をシリンダー６の鍵穴７に挿入し、解錠方向に回すと錠杆６が引き込まれ、逆に施錠方向に回すと錠杆６が突出する。その動き関する情報が解錠信号又は施錠信号に変換された上で、扉錠１に内蔵された小型サーバ１１に送られる。そして、小型サーバ１１は、ネットワーク通信を成り立たせる役割を担うルータ２を介して通信ネットワーク３に繋がれているため、現在扉錠が施錠状態にあるのかそれとも解錠状態にあるのかといった情報を、インターネット等の通信ネットワーク３を通じて、パソコン４や携帯電話機５等の端末において入手することができるのである。
【実施例１】
【００２６】  実施例１は請求項１に係る発明に対応する。「発明を実施するための最良の形態」のところで説明したのが実施例１（請求項１に係る発明）である。
実施例１では、図１に示すように、扉錠１自体に小型サーバ１１を内蔵している。なお、図１に示すものは無線通信が行えるよう無線ＬＡＮ１３を使用しているが、有線ＬＡＮを使用してもよい。また、ルータ２に関しても原則として無線式であるが、有線式を用いても構わない。以下の実施例においても同様である。
【実施例２】
【００２７】  実施例２は請求項２に係る発明に対応する。実施例２では、図２に示すように、扉錠１とは別体のケース１４に小型サーバ１１を内蔵している。ケース１４は図示しない扉に埋設する。ケース１４は扉錠と配線１７で繋がれている。配線１７は扉錠の施解錠情報をケース１４内の小型サーバ１１に電気的に伝えるためのものである。既設の扉錠１を活かしつつ、本発明の意図する機能を付加させたいような場合に有用である。
【実施例３】
【００２８】  実施例３は請求項３に係る発明に対応する。実施例３では、図３に示すように、受部材１５に小型サーバ１１を内蔵している。受部材とは、錠杆６の突出を受け止める部材であり、建築業界ではストライク、あるいはトロヨケとも言われている。受部材１５は、図示しない扉枠の正面の前部から後方に向けて埋設されているのが一般的である。図３には扉錠１が２つ描かれている。上にある扉錠１は解錠状態にあり、受部材１５内のスイッチ１６がＯＦＦになっている。下にある扉錠１は施錠状態にあり、施錠操作によって突出した錠杆６に押される形でスイッチ１６がＯＮになっている。もっとも、本実施例における施解錠情報の取得手段はスイッチ方式であるが、センサー感知方式を採用してもよい。このように、受部材１５が感知する施解錠情報を小型サーバ１１が取得し、当該情報をルータ２、通信ネットワーク３を通じて、パソコン４や携帯電話５に送信する本実施例は、既設の扉錠、受部材のうち、受部材を本実施例に係る受部材１５に交換するだけで、本発明の意図する機能を発揮することができるようになる点において、最も簡易かつ直接的な実施例ということができる。
【実施例４】
【００２９】  実施例４は請求項４に係る発明に対応する。実施例４は、小型サーバ１１を内蔵した扉錠１等を利用したセキュリティーシステムである。
扉錠１の施解錠に関する情報、いつ施解錠されたかに関する情報は、扉錠や受部材の錠機構１８から小型サーバ１１の中枢部分ともいえるＣＰＵ１２に一旦送られ、そこから無線ＬＡＮ１３、無線ルータ２、及びインターネット等の通信ネットワーク３を介して、パソコン４や携帯電話５等のユーザー端末に送信される。
【実施例５】
【００３０】  実施例５は請求項５に係る発明に対応する。実施例５も、小型サーバ１１を内蔵した扉錠１等を利用したセキュリティーシステムである点では、実施例４と共通するが、ＩＤ情報付き鍵１９が構成要件となる点で実施例４と異なる。ＩＤ機能を有する鍵であれば、ＩＣタグ方式、磁気カード方式、リモコン方式等の別を問わない。本実施例では、リモコン方式のＩＤ情報付き鍵１９を用いる。本実施例では、誰が施解錠操作をしたかに関する情報も入手できる。なぜなら、ＩＤ情報が小型サーバ１１内の受信部２０を介して中枢部分ともいえるＣＰＵ１２に一旦送られ、そこから無線ＬＡＮ１３、無線ルータ２、及びインターネット等の通信ネットワーク３を介して、ユーザー端末に送信されるからである。
【図面の簡単な説明】
【００３１】
【図１】実施例１
【図２】実施例２
【図３】実施例３
【図４】実施例４
【図５】実施例５
【符号の説明】
【００３２】１…扉錠
２…ルータ
３…通信ネットワーク
４…パソコン
５…携帯電話
６…錠杆
７…シリンダー
８…鍵穴
９…レバーハンドル
１０…ラッチボルト
１１…サーバ
１２…ＣＰＵ
１３…ＬＡＮ
１４…ケース
１５…受部材
１６…スイッチ
１７…配線
１８…錠機構
１９…ＩＤ情報付き鍵
２０…受信部
【図１】
2006097444.tif 000003
【図２】
2006097444.tif 000004
【図３】
2006097444.tif 000005
【図４】
2006097444.tif 000006
【図５】
2006097444.tif 000007